(57)【要約】【課題】  低製造コストかつ小型化した照明装置を提供する。【解決手段】照明装置は、光拡散作用を有する板状の導光板１と、低出力たとえば１ｍＷ以下のレーザ光源２と、導光板１の内部に形成された孔１ａ内に設けられた走査反射面３ａを有する回転可能レンズ３と、回転可能レンズ３を回転駆動させるためのギヤ４と、ギヤ４と噛み合うギヤ５と、ギヤ５を回転駆動させるためのモータ６と、レーザ光源２及びモータ６を制御するための制御ユニット（マイクロコンピュータ）７とによって構成される。【選択図】        図１
2017111935.tif 000002
【特許請求の範囲】
【請求項１】
板状に形成されるとともに、光拡散作用を有する導光板と、
光源と、
走査ユニットと、
前記走査ユニットを駆動させる駆動ユニットと、を有し、
前記導光板は、当該導光版の面方向と直交した導光入射面と、端面と、を有し、
前記走査ユニットは、前記光源からの出射光を前記導光入射面に向かって走査させ、
前記出射光が走査される方向は、前記導光板の厚み方向と直交する方向であることを特徴とする照明装置。
【請求項２】
前記走査ユニットは、走査反射面を有し、
前記走査反射面が動作することによって、前記出射光が走査されることを特徴とする請求項１に記載の照明装置。
【請求項３】
前記走査ユニットは、前記駆動ユニットによって前記走査反射面を回転させる回転装置であり、
前記走査反射面は、前記光源の光軸を中心軸として回転することを特徴とする請求項２に記載の照明装置。
【請求項４】
前記導光入射面は、前記光源の光軸を中心とした円の円周上に形成されていることを特徴とする請求項１〜３の何れか一項に記載の照明装置。
【請求項５】
前記導光板は、孔を有し、
前記走査ユニットは、前記孔に挿入されており、
前記導光入射面は、前記孔の壁面に形成されていることを特徴とする請求項１〜４の何れか一項に記載の照明装置。
【請求項６】
前記導光板の端面は、円弧状に切り欠いた形状をなし、
前記走査ユニットは、前記円弧状形状に挿入されており、
前記導光入射面は、前記円弧状形状の周囲に形成されていることを特徴とする請求項１〜４の何れか一項に記載の照明装置。
【請求項７】
前記走査ユニットはレンズであり、
前記レンズは、入射部と、出射部と、を有し、
前記出射部と前記導光入射面とはお互いが対向していることを特徴とする請求項２〜６の何れか一項に記載の照明装置。
【請求項８】
前記端面には鏡面が形成されていることを特徴とする請求項１〜７の何れか一項に記載の照明装置。
【請求項９】
前記端面と対向する位置に反射部材が設けられていることを特徴とする請求項１〜８の何れか一項に記載の照明装置。
【発明の詳細な説明】
【技術分野】
【０００１】
本発明は美的表示用の輝線（光路とも言う）可視化して表示する照明装置に関する。
【背景技術】
【０００２】
最近、ライブステージ上等でレーザ光を用いた演出照明が盛んに行なわれている。たとえば、ステージ上においてスモーク等をスクリーンとしてそのスクリーンにレーザ光を当てることによりレーザ光の輝線をスクリーン上に可視化して表示させる。このような輝線を可視化して表示させるためには、レーザ光を発生させる高出力たとえば数１００ｍＷのレーザ光源及びスモークを発生させるスモーク発生装置を必要とする。しかし、このようなレーザ光源及びスモーク発生装置は一般的な照明装置としては利用できない。
【０００３】
従来の照明装置は、ポリカボネート等の透明樹脂中に大きさ２００〜２０００ｎｍで透明樹脂との屈折率差が０．００１以上の有機剤よりなる光散乱体を分散してなる表示体（導光板）と、導光板の側端部にレーザ光を導入するためのレーザ光源とによって構成される。これにより、レーザ光の輝線を可視化して表示し、光出力の大きさによって輝線の長さ及び角度を変更する（参照：特許文献１の請求項１、２、段落００２６）。
【先行技術文献】
【特許文献】
【０００４】
【特許文献１】特開平１−１０５０７３号公報
【発明の概要】
【発明が解決しようとする課題】
【０００５】
しかしながら、上述の従来の照明装置においては、レーザ光源が導光板の側端部に設けられているので、導光板へのレーザ光源の入射光の方向は限定され、この結果、可視化して表示される輝線は単調な一直線の輝線のみである。従って、可視化させたい輝線が複数必要な場合には、レーザ光源が複数必要となり、この結果、製造コストが高くかつ大型化するという課題がある。また、可視化した輝線を連続的に移動させることができないという課題もある。
【課題を解決するための手段】
【０００６】
上述の課題を解決するために、本発明に係る照明装置は、板状に形成されるとともに、光拡散作用を有する導光板と、光源と、走査ユニットと、前記走査ユニットを駆動させる駆動ユニットと、を有し、前記導光板は、当該導光版の面方向と直交した入射面と、端面と、を有し、前記走査ユニットは、前記光源からの出射光を前記入射面に向かって走査させ、前記出射光が走査される方向は、前記導光板の厚み方向と直交する方向であることを特徴とするものである。
【発明の効果】
【０００７】
本発明によれば、走査ユニットによって導光板への入射光が３６０°回転するので、光源の数を増加することなく、複数の輝線及び連続的に移動する輝線を可視化して表示できる。この結果、製造コストを低くできると共に、小型化できる。
【図面の簡単な説明】
【０００８】
【図１】本発明に係る照明装置の第１の実施の形態を示す斜視図である。
【図２】図１の照明装置の回転可能レンズ近傍の部分拡大断面図である。
【図３】図１の照明装置の他の動作を説明する斜視図である。
【図４】本発明に係る照明装置の第２の実施の形態を示す斜視図である。
【図５】本発明に係る照明装置の第３の実施の形態を示す斜視図である。
【図６】本発明に係る照明装置の第４の実施の形態を示す部分拡大断面図である。
【発明を実施するための形態】
【０００９】
図１は本発明に係る照明装置の第１の実施の形態を示す斜視図、図２は図１の照明装置の部分拡大断面図である。
【００１０】
図１、図２において、照明装置は、後述の条件を満足する光拡散作用を有する板状の導光板１と、低出力たとえば１ｍＷ以下のレーザ光源２と、導光板１に形成された孔１ａ内に設けられた走査反射面３ａを有する回転可能レンズ３と、回転可能レンズ３を回転駆動させるためのギヤ４と、ギヤ４と噛み合うギヤ５と、ギヤ５を回転駆動させるためのモータ６と、レーザ光源２及びモータ６を制御するための制御ユニット（マイクロコンピュータ）７とによって構成される。尚、回転可能レンズ３の走査反射面３ａはアルミニウムテープ、蒸着等によって鏡面にしてもよい。
【００１１】
導光板１に形成された孔１ａは、レーザ光源２の光軸を中心とする円形状に、面直にくり貫かれた形状とされている。導光板１の孔１ａ側の壁面には、導光入射面１ｂが形成されており、これにより、レーザ光源２からのレーザ光Ｌを導光板１の内部に入射させることができる。
【００１２】
レーザ光源２からレーザ光Ｌはその直上のギヤ４の中空部（図示せず）を通過して回転可能レンズ３に到達する。レーザ光Ｌは回転可能レンズ３の走査反射面３ａで反射されて導光板１の孔１ａ側の導光入射面１ｂから導光板１の上面に平行に入光する。このとき、回転可能レンズ３はギヤ４によってレーザ光源２の光軸を中心軸として回転できるので、レーザ光Ｌは導光板１内の平面に３６０°の任意の角度で入光できる。
【００１３】
制御ユニット７がレーザ光源２をオンにし、モータ６をある位置で停止させると、たとえば、図１に示すごとく、導光板１のある位置に突然レーザ光Ｌの１つ輝線Ｌ（Ｂ１）を可視化して表示できる。
【００１４】
他方、制御ユニット７がレーザ光源２をオンにしたまま、モータ６を連続的に駆動させると、たとえば、図３に示すごとく、回転可能レンズ３の回転によって連続的に変化する、つまり、移動する（動き回っている）輝線Ｌ（Ｂ２１）、Ｌ（Ｂ２２）、Ｌ（Ｂ２３）…を可視化して表示できる。
【００１５】
図４は本発明に係る照明装置の第２の実施の形態を示す斜視図である。
【００１６】
図４においては、図１の照明装置の導光板１の端面１ｃをたとえばアルミニウムテープ、アルミニウム蒸着によって鏡面にしてある。この結果、図４に示すごとく、導光板１に入光したレーザ光Ｌが導光板１内でより多く複数回内部反射した輝線Ｌ（Ｂ１'）を可視化して表示できる。
【００１７】
尚、導光板１の端面１ｃを鏡面にせず、端面１ｃと対向する領域に反射部材（図示せず）を配置させても、反射作用は多少劣るものの、同様の効果を得ることができる。
【００１８】
図５は本発明に係る照明装置の第３の実施の形態を示す斜視図である。
【００１９】
図５においては、導光板１に複数たとえば２つの孔１ａ-１、１ａ-２を設け、孔１ａ-１、１ａ-２毎に、レーザ光源（図示せず）、走査反射面３ａ-１、３ａ-２を有する回転可能レンズ３-１、３-２、ギヤ及びモータ（図示せず）を設ける。これにより、図５に示すごとく、種々のレーザ光Ｌの輝線Ｌ（Ｂ１-１）、Ｌ（Ｂ１-２）を可視化して表示できる。尚、図示しないが、移動する（動き回っている）複数の輝線も可視化して表示できる。
【００２０】
図６は本発明に係る照明装置の第４の実施の形態を示す部分拡大断面図である。
【００２１】
図６においては、図２の回転可能レンズ３を回転可能ミラー３'に置換してある。回転可能ミラー３'の走査反射面３'ａは孔１ａ内に設けられ、図２の回転可能レンズ３の走査反射面３ａと同一の作用を果たす。また、レーザ光源２は回転可能ミラー３'に対向して上方に設けられる。従って、レーザ光源２からレーザ光Ｌは直接回転可能ミラー３'に到達する。この結果、レーザ光Ｌは回転可能ミラー３'の走査反射面３'ａで反射されて導光板１の孔１ａ側の導光入射面１ｂを入光端として導光板１の上面に平行に入光する。このとき、回転可能ミラー３'はギヤ４によってレーザ光源２の光軸を中心軸として回転できるので、レーザ光Ｌは導光板１内の平面に３６０°の任意の角度で入光できる。
【００２２】
尚、図６に示す第４の実施の形態においても、図４に示す第２の実施の形態及び図５に示す第３の実施の形態を適用することができる。
【００２３】
導光板１は透明度が高く、拡散剤、散乱剤を含み、面発光性を有する。そのため、条件は次の３つである。
（１）輝度を可視化するために、ヘイズ値３．２％以下である。
（２）非入光時の透明度を大きくするために、透過率９０％以上である。
（３）レーザ光源２からの水平距離１０ｍｍでの正面輝度を１００％としたとき、レーザ光源２から水平距離２５０ｍｍでの３０％以上の正面輝度である。
【００２４】
導光板１の例としては、株式会社クラレ製「コモグラスＣＧＴＨ-１」及び旭化成ケミカルズ株式会社製「デラグラス（ＡＬ９９２）」がある。「コモグラス（ＣＧＴＨ-1）では、板厚３ｍｍで板厚方向のヘイズ値３．１％かつ透過率９０．５％であり、「デラグラス（ＡＬ９９２）」では、板厚３ｍｍで板厚方向のヘイズ値２．０％かつ透過率９１％であり、いずれも、ヘイズ値及び透過率のバランスがよく、サイズ２９０ｍｍ×２１０ｍｍ、厚さ３ｍｍ程度の導光板で十分なレーザ光の輝線を可視化して表示できた。このような導光板を用いることにより可視化できる輝線の距離を長くでき、従って、効果的な演出が可能である。
【００２５】
たとえば、発光ダイオード（ＬＥＤ）光源による導光板（裏面ドット）絵柄発光と、高指向性のレーザ光源による導光板の輝線の可視化とを同一導光板で行える。
【００２６】
尚、上述の実施の形態においては、光源としてレーザ光源を用いているが、指向性の高い光を出力する他の光源でもよい。また、回転可能レンズ又は回転可能ミラーの駆動ユニットとして２つのギヤを用いているが、他の駆動ユニット、たとえば、プーリ及びベルト等を用いてもよい。
【００２７】
また、上述の実施の形態においては、レーザ光源２からの光を導光入射面１ｂに入射させる回転可能機構として回転可能レンズ又は回転可能ミラーを用いているが、本発明はこの構成に限定されない。導光入射面１ｂの長尺方向に対してレーザ光源２からの光を走査させる走査ユニットがあれば、回転という動作は必須ではないためである。走査ユニットの例としては、ＤＭＤ（digital micromirror device）等のＭＥＭＳミラーデバイスなどが挙げられる。ただし、これらのミラーデバイスは高価であるため、本発明の効果を安価に達成するためには、上述の実施の形態における回転可能機構を用いた構成が最適である。
【００２８】
さらに、上述の実施の形態においては、導光板１に形成された孔１ａ、１ａ−１、１ａ−２の壁面を導光入射面１ｂとして形成しているが、本発明はこの構成に限定されない。例えば、導光板１の端面１ｃを円弧状に切り欠いた形状としたうえで、その周上に導光入射面１ｂを形成してもよい。この場合、回転可能レンズ又は回転可能ミラー（走査ユニット）は、切り欠きに形成された導光入射面１ｂの一方の端部から他方の端部までを往復運動する回転（走査）動作を行う。
【産業上の利用可能性】
【００２９】
本発明に係る照明装置は、遊技機、演出照明、メータ等のインディケータ等に利用できる。
【符号の説明】
【００３０】
１：導光板
1ａ、１ａ-１、１ａ-２：孔
１ｂ：導光入射面
１ｃ：端面
２：レーザ光源
３、３-１，３-２：回転可能レンズ（走査ユニット）
３ａ、３ａ-１、３ａ-２：走査反射面
３'：回転可能ミラー（走査ユニット）
３'ａ：走査反射面
４、５：ギヤ（駆動ユニット）
６：モータ（駆動ユニット）
７：制御ユニット
【図１】
2017111935.tif 000003
【図２】
2017111935.tif 000004
【図３】
2017111935.tif 000005
【図４】
2017111935.tif 000006
【図５】
2017111935.tif 000007
【図６】
2017111935.tif 000008